(57)【要約】      （修正有）【課題】実装姿勢が駆動軸垂・水平いずれの実装状態でも逆流防止機能を備える遠心ファンの提供。【解決手段】逆流防止装置付き遠心ファン1は、フラップ5が、吐出口近傍で、羽根車外周円弧面に沿う向きで送風時の下流側の支点と、同上流ノーズ8側またはノーズ先端の支点とによって、通風路のいずれかの側壁内面から立ち上がるように転動可能に保持され、通風路の側壁に爪で保持されるカバー6で覆われ挿入される。通風路内周面には、遮蔽時のフラップ当接面となる送風下流側がほぼ鉛直面で、送風上流側が緩傾斜面として形成された小突起が設けられる。また、フラップ支持部嵌着穴の側壁端縁は、フラップ転動の際の摺接面が、側壁から順次拡開する傾斜面を有するように形成される。【選択図】図１
2006207482.tif 000002
【特許請求の範囲】
【請求項１】
蝸牛状ケーシングを備え、外部からの逆流を防止するための逆流防止装置として、吐出口近傍に通風路を遮蔽自在とするフラップが設けられている遠心ファンにおいて、前記フラップは、吐出口近傍に位置し、羽根車外周円弧面に沿う向きで、送風時の下流側に位置する羽根車外周縁から遠い一方の支点と、同上流ノーズ側に位置する羽根車外周縁に近い他方の支点とによって、通風路のいずれかの側壁内面から立ち上がるように転動可能に保持されていること、を特徴とする逆流防止装置付き遠心ファン。
【請求項２】
前記フラップが設けられる部位の通風路には、側壁にフラップ挿入溝が形成されると共に、通風路内周面に、遮蔽時のフラップ当接面となる小突起が設けられていること、を特徴とする請求項１に記載の逆流防止装置付き遠心ファン。
【請求項３】
前記通風路のフラップ当接用小突起は、送風下流の吐出口側がフラップと当接するほぼ鉛直面で、送風上流の羽根車側が緩やかな傾斜面を有するように形成されていること、を特徴とする請求項２に記載の逆流防止装置付き遠心ファン。
【請求項４】
前記通風路に形成されたフラップ挿入溝が、その周縁にカバーを嵌着する凹部と、該凹部に形成された複数の小孔を備え、前記カバーが、可撓性を備える脚部の先端に設けられた爪の前記小孔への嵌着で保持されて、該カバーによりフラップ挿入溝が封止されるよう形成されていること、を特徴とする請求項１乃至３のいずれかに記載の逆流防止装置付き遠心ファン。
【請求項５】
前記フラップの保持側端部は、該フラップを転動自在とするための両側に伸長する支持部を有し、該支持部が円柱状を成すこと、を特徴とする請求項１乃至４のいずれかに記載の逆流防止装置付き遠心ファン。
【請求項６】
前記フラップの支点のうち、少なくも一方のフラップ支持部円柱を嵌着する穴の側壁は、フラップ転動の際の摺接面が、側壁から順次拡開する傾斜面を有すること、を特徴とする請求項１乃至５のいずれかに記載の逆流防止装置付き遠心ファン。
【請求項７】
前記フラップが、ケーシング通風路に形成されるノーズ先端部と、ノーズに対向する側壁部位とで保持されるように形成されていること、を特徴とする請求項１乃至６のいずれかに記載の逆流防止装置付き遠心ファン。
【請求項８】
前記フラップが、当該遠心ファンの送風性能が０．５〜２ｍ３／ｍｉｎで、設置部位の通風路面積がほぼ３０ｃｍ２のものにおいて、自重が５ｇ以下であること、を特徴とする請求項１乃至７のいずれかに記載の逆流防止装置付き遠心ファン。
【発明の詳細な説明】
【技術分野】
【０００１】
本発明は、軸垂直・軸水平双方の実装姿勢で機能する逆流防止装置付き遠心ファンに関する。
【背景技術】
【０００２】
【特許文献１】（特開２００３−２７８６９７号公報）
【０００３】
本願出願人は、上述公報に見るように、送風停止時等の際に外部の状況により生ずる吐出口からの逆流を防止するための逆流防止装置として、送風機能を停止した時、自ずから吐出口を遮蔽する様に作動するフラップの構成を、双頭ファンとして実現し、有用されている。
【発明の開示】
【発明が解決しようとする課題】
【０００４】
しかしながら、上述のような従来技術に成る遠心ファンは、実装姿勢が駆動軸を垂直とする時にのみ、有効に作動するように構成されていることから、駆動軸を水平とする実装姿勢に対応して同様な作動を実現することが求められ、課題として浮上して来た。
【課題を解決するための手段】
【０００５】
本発明に成る逆流防止装置付き遠心ファンは、蝸牛状ケーシングと、逆流防止装置として、吐出口近傍に通風路を遮蔽自在とするフラップが設けられているもので、該フラップが、吐出口近傍に位置し、羽根車外周円弧面に沿う向きで、送風時の下流側に位置する羽根車外周縁から遠い一方の支点と、同上流ノーズ側に位置する羽根車外周縁に近い他方の支点とによって、通風路のいずれかの側壁内面から立ち上がるように転動可能に支持されており、また、
【０００６】
前記フラップが設けられる部位の通風路の側壁にフラップ挿入溝が形成されると共に、通風路内周面に、好ましくは、遮蔽時のフラップ当接面となる送風下流の吐出口側がほぼ鉛直面で、送風上流の羽根車側が緩やかな傾斜面を有するように形成された小突起が設けられ、また、
【０００７】
前記フラップ挿入溝が、その周縁にカバーを嵌着する凹部と、該凹部に形成された複数の小孔を備え、前記カバーが、可撓性を備える脚部の先端に設けられた爪の前記小孔への嵌着で保持されて、該カバーによりフラップ挿入溝が封止されるよう形成され、また、
【０００８】
前記フラップ保持側端部が、該フラップを転動自在とするための両側に伸長する支持部を有し、該支持部が円柱状に形成され、また、
【０００９】
前記フラップの支点のうち、少なくも一方のフラップ支持部円柱を嵌着する穴の側壁端縁は、フラップ転動の際の摺接面が、側壁から順次拡開する傾斜面を有するように形成され、また、好ましくは、
【００１０】
前記フラップが、ケーシング通風路に形成されるノーズ先端部と、ノーズに対向する側壁部位とで保持され、また、
【００１１】
前記フラップが、当該遠心ファンの送風性能が０．５〜２ｍ３／ｍｉｎで、設置部位の通風路面積がほぼ３０ｃｍ２のものにおいて、自重が５ｇ以下に形成されている。
【発明の効果】
【００１２】
本発明に成る逆流防止装置付き遠心ファンは、吐出口の遮蔽部材としてのフラップが、実装姿勢が駆動軸を垂直とする時だけでなく、駆動軸を水平とする実装姿勢にも有効に作動する簡便な構成として実現している。
【発明を実施するための最良の形態】
【００１３】
以下図面により本発明の実施例を説明する。
【実施例１】
【００１４】
図１は、本願発明に成る逆流防止装置付き遠心ファン１の例で、駆動軸水平実装の様子を示す、吐出口正面図（ａ）とその側面を示す吸込口正面図（b）である。
【００１５】
該例では、吐出口１−１の正面を見て右側に位置するケーシング２の側に、フラップ５が保持されているが、ケーシング１の側に設けることも可能である。
【００１６】
通風路吐出口１−１を遮蔽自在のフラップ５は、図（ｂ）を参照して、下端を、通風上流端７−１の側の、ノーズ８の先端部とし、羽根車４の外周面に沿う向きで下流端７−２の側の、通風路上部側壁内面に上端が位置するように保持されている。
【００１７】
通風路７を遮蔽自在とするフラップ５の転動の円滑さを得るため、フラップ５の伸長支持部５−１を円柱状とすることが好ましいが、該構成自体は周知のものであるので、詳細な説明も図示も省略している。
【００１８】
当該フラップ５の逆流防止の機能から予測される通り、フラップ５の転回動作の円滑さと、遮蔽時の封止効果の補完を両立する必要があるが、その実現手段として、フラップ５の遮蔽時の位置決めを兼ねて、通風路７の内周面にフラップ５に当接する小突起（図示を省略、上述引用先願参照）が形成される。
【００１９】
該小突起は、上述引用先願に見るように、フラップ５の当接を確実とするため、下流側のフラップ５の当接面は沿直とする一方、羽根車４に近い上流側は緩い勾配を設けて、送風時の気流の障害とならないように形成されることが好ましい。
【００２０】
そして当該フラップ５は、上述し図１（ｂ）に見るように、下端を通風上流側のノーズ８の先端部とし、羽根車外周面に沿う形で下流側の通風路上部側壁内面に上端が位置するように保持され、図１に示すフラップ５の開放状態から、送風停止等によりフラップ５が転動して通風路遮蔽状態になる際、低摩擦に配慮した両支点によりフラップの自重でも転回容易に構成されている。
【００２１】
図２に示す駆動軸垂直の実装状態でも、上述軸水平実装での動作と変わりが無いが、この駆動軸垂直実装に際しては上側に位置するケーシング１又は２の内面にフラップ５を配置することは言うまでも無い。
【００２２】
また、遠心ファン１の性能とフラップ５の自重転動とのバランスを検討の結果、当該遠心ファン１の送風性能が０．５〜２ｍ３／ｍｉｎで、設置部位の通風路面積がほぼ３０ｃｍ２のもので、フラップ５の自重を５ｇ以下とすることが実用に適していることが確認されている。
【００２３】
そして、図７の図１（ａ）に対応する部分拡大図に示すように、前記フラップ５の支点のうち、フラップ支持部５−１の円柱を嵌着する、特に下側に位置する一方のフラップ支持穴３−４の側壁端縁３−５を、フラップ５が転動する際の摺接端縁を、側壁から順次拡開する傾斜面３−５１を有するように形成することで、フラップ５の自重による転動を一層容易とすることが出来る。
【００２４】
また、実用設計の視点で、前記フラップ５が、ケーシング１又は２の通風路７に形成されるノーズ８の先端部と、ノーズ８に対向する側壁部位とで保持するように配置されることが好ましい。
【産業上の利用可能性】
【００２５】
本発明に成る逆流防止装置付き遠心ファンは、自己動作する逆流防止装置を備えつつ、駆動軸垂直・駆動軸水平双方の実装姿勢への対応が可能で、逆流防止装置付き遠心ファンとしての利用範囲が各段に広まる。
【図面の簡単な説明】
【００２６】
【図１】本発明に成る逆流防止装置付き遠心ファンの例の、駆動軸水平実装状態を示す吐出口正面図（ａ）とその側面図（吸込口側正面図）（ｂ）である。
【図２】図１の例で、駆動軸垂直実装状態を示す吐出口正面図（ｂ）とその側面図（吸込口側正面図）（ａ）である。
【図３】図１の例のケーシング１の外面図である。
【図４】図３の例の内面図である。
【図５】図１の例のケーシング２の外面図である。
【図６】図５の例の内面図である。
【図７】図１（ａ）の部分拡大図で、フラップ支持部の説明図である。
【符号の説明】
【００２７】
１        遠心ファン
１−１    吐出口
１−２    吸込口
２        ケーシング１
３        ケーシング２
３−１    フラップ挿入溝
３−２    カバー嵌着凹部
３−３    爪嵌着孔
３−４    フラップ支持穴
３−５    傾斜端縁を備える側壁
３−５１  傾斜端縁
４        羽根車
５        フラップ
５−１    フラップ支持部
６        カバー
７        通風路
７−１    通風路上流端
７−２    通風路下流端
８        ノーズ
【図１】
2006207482.tif 000003
【図２】
2006207482.tif 000004
【図３】
2006207482.tif 000005
【図４】
2006207482.tif 000006
【図５】
2006207482.tif 000007
【図６】
2006207482.tif 000008
【図７】
2006207482.tif 000009